(57)【要約】      （修正有）【課題】卵が輸送時に割れることがないような十分な剛性を有する卵パックを提供する。【解決手段】卵パック１はパルプモールドにより製作され、中央に薄肉のヒンジ２を有し、そのヒンジ２で折り曲げることでヒンジ２を介した本体部３と蓋体部４とが合わさって箱状となる。蓋体部４は第１のリブ５を有し、本体部３は凸リブ６を有している。卵パック１を構成するパルプモールドのパルプ素材は、アシ（葦）その他の草木類（竹、エスパルト、雑草等）、繊維作物（ケナフ、コットンリンター、アカバ、サイザル、ジュート、亜麻、こうぞ、みつまた等）、農産副産物（サトウキビ殻、麦わら、稲わら、パーム椰子殻、バナナ茎葉等）等である。【選択図】図１
0003160968.tif 000002
【実用新案登録請求の範囲】
【請求項１】
本体部とそれにヒンジにより連結された蓋体部とでなり、
前記ヒンジで折り曲げることで本体部に対して蓋体部とが合わさって箱状となる卵パックであって、
前記蓋体部は少なくとも１つ以上のリブを有することを特徴とする卵パック。
【請求項２】
アシ（葦）からなることを特徴とする請求項１記載の卵パック。
【請求項３】
蓋体部の中央付近にヒンジと平行に一端の略卵半個分の位置からもう一端の略卵半個分の位置まで直線状に前記本体部側に向けて突出した第１のリブを有することを特徴とする請求項１または２記載の卵パック。
【請求項４】
本体部は、箱状にした際に第１のリブの先端同士がぶつかるように蓋体部側に向けて突出した凸リブを有することを特徴とする請求項３記載の卵パック。
【請求項５】
第１のリブは、突出した先端が略卵１個分毎の距離で等間隔に凹んでいることを特徴とする請求項３または４記載の卵パック。
【請求項６】
蓋体部の側壁にヒンジと略直交する方向に直線状に凹んだ第２のリブを有することを特徴とする請求項１ないし５のいずれかに記載の卵パック。
【考案の詳細な説明】
【技術分野】
【０００１】
本考案は、輸送時の卵の割れを防止する剛性の高い卵パックに関するものである。
【背景技術】
【０００２】
卵パックは、Ａ−ＰＥＴ（非晶質ポリエチレンテレフタレート樹脂）製のもののほかパルプ素材を用いて成形されたパルプモールドよりなるものがある。パルプモールド製の卵パックは、Ａ−ＰＥＴ製に比べ意匠性に優れ、高級感があるため、例えば高価な卵の包装などに好んで使用される。しかしながら、葦製で作られた卵パックなどは、Ａ−ＰＥＴ製のものに比べて非常に剛性が低く、輸送時の振動により卵が割れやすいのが問題である。
【０００３】
そして、樹脂製の卵パックについては特開平１１−２４０５９３号公報、実開平５−７６７９号公報および登録実用新案第３０５７１７９号公報に掲載されており、また、卵パックを比較的強度と弾性を有する紙製などとすることも前掲の登録実用新案第３０５７１７９号公報に掲載されている。
【先行技術文献】
【特許文献】
【０００４】
【特許文献１】特開平１１−２４０５９３号公報
【特許文献２】実開平５−７６７９号公報
【特許文献３】登録実用新案第３０５７１７９号公報
【考案の概要】
【考案が解決しようとする課題】
【０００５】
本考案は、十分な剛性を有する卵パックを提供することを目的とするものである。
【課題を解決するための手段】
【０００６】
本考案の卵パックは、本体部とそれにヒンジにより連結された蓋体部とでなり、前記ヒンジで折り曲げることで本体部に対して蓋体部とが合わさって箱状となる卵パックであって、前記蓋体部は少なくとも１つ以上のリブを有することを特徴とするものである。
【０００７】
本考案に係る卵パックにおいては、パルプモールドのパルプ素材がアシ（葦）であること、前記蓋体部の中央付近に前記ヒンジと平行に一端の略卵半個分の位置からもう一端の略卵半個分の位置まで直線状に前記本体部側に向けて突出した第１のリブを有すること、前記本体部は、箱状にした際に前記第１のリブの先端同士がぶつかるように前記蓋体部側に向けて突出した凸リブを有すること、前記第１のリブは、突出した先端が略卵１個分毎の距離で等間隔に凹んでいること、前記蓋体部の側壁に前記ヒンジと略直交する方向に直線状に凹んだ第２のリブを有するものであることが好適である。
【考案の効果】
【０００８】
本考案の卵パックは、本体部とそれにヒンジにより連結された蓋体部とでなり、前記ヒンジで折り曲げることで本体部に対して蓋体部とが合わさって箱状となる卵パックであって、前記蓋体部は少なくとも１つ以上のリブを有するので、卵が輸送時に割れることがないような十分な剛性を有するという利点がある。
【図面の簡単な説明】
【０００９】
【図１】本考案の一実施の形態であって卵パックを展開して示す斜視図である。
【図２】図２は同上鶏卵を入れ込んだ態様を示す斜視図である。
【図３】図２の態様からパックを閉じた態様を示す斜視図である。
【図４】図３のＡ−Ａ断面図である。
【図５】図３のＢ−Ｂ断面図である。
【図６】本考案の他の実施の形態であって卵パックの斜視図である。
【考案を実施するための形態】
【００１０】
図１ないし図５において、１は卵パックである。この卵パック１はパルプモールドにより製作されたものである。卵パック１は、中央に薄肉のヒンジ２を有し、そのヒンジ２で折り曲げることで前記ヒンジ２を介した本体部３と蓋体部４とが合わさって箱状となるものであって、前記蓋体部４には少なくとも１つ以上のリブを有しているものである。
【００１１】
卵パック１を構成するパルプモールドのパルプ素材は、アシ（葦）その他の草木類（竹、エスパルト、雑草等）、繊維作物（ケナフ、コットンリンター、アカバ、サイザル、ジュート、亜麻、こうぞ、みつまた等）、農産副産物（サトウキビ殻、麦わら、稲わら、パーム椰子殻、バナナ茎葉等）等である。
【００１２】
卵パック１は、非木材パルプ素材または木材パルプ素材あるいはこれらの混合パルプ素材を漉き加工して得られるパルプ素材を、吸引、圧縮して脱水後、加圧および加熱によって乾燥することで形状を固定し、その容器素材にさらに高度の加圧および加熱を施してパルプ素材のセルロース分を熱硬化させることで、成形される。なお、卵パック１を構成する好適なパルプ素材として、アシ（葦）を用いて前記製法で成形することが望ましい。これにより、表面が滑らかで意匠性に優れた卵パックを得ることができる。
【００１３】
卵パック１の蓋体部４の中央付近にはヒンジ２と平行に一端の略卵半個分の位置からもう一端の略卵半個分の位置まで直線状に前記本体部３側に向けて突出した第１のリブ５を有しており、本体部３には、箱状にした際に蓋体部４の第１のリブ５の先端同士がぶつかるように蓋体部４側に向けて突出した凸リブ６を有している。そして前記第１のリブ５は、突出した先端が略卵１個分毎の距離で等間隔に凹んでいる。前記凹みは、第１のリブ５の凸の高さに対して略半分程度の凹みであり、第１のリブ５の高さと同等の凹みとするよりも第１のリブ５の剛性を大幅に増加させている。なお、前記凹みは必ず設ける必要はない。好ましくは、凸リブ６と同等の数を備えることで、卵の割れを防ぐのに十分な高い剛性を得ることができる。蓋体部４の側壁にはヒンジ２と略直交する方向に直線状に凹んだ第２のリブ７を有している。第２のリブ７は少なくとも１つ以上であることが好ましく、ヒンジ側に設けられる第２のリブ７は、凸リブ６の短手方向の平行線上に設けることが好ましい。また、ヒンジ側と対面する側壁には、必ずしもリブ７を設ける必要はないが１つ以上設けることが好ましい。これにより、箱状にした際に第１のリブ５と、凸リブ６と、が嵌合したときのそれぞれの剛性を向上させることができる。本体部３において８は卵収容凹部、９はラッチである。蓋体部４において１０はラッチ受け部である。
【００１４】
卵パック１に鶏卵ａを収容するには、図２に示すように本体部３を下にして蓋体部４を上向きに開いて展開状とし、本体部３の卵収容凹部７に卵ａを入れ込んだうえ、蓋体部４を閉じて卵パック１を箱状にする。このように箱状とされた卵パック１に収容された鶏卵ａは、図４および図５に示すように本体部３と蓋体部４によって形成される凹部に収まって略不動状態に保護される。なお、この実施の形態の卵パック１は鶏卵１０個詰めのものを例示している。
【００１５】
図６に示す他の実施の形態の卵パック１は、蓋体部４に本体部３側に突出する１つのリブ１１を設けた構成で、鶏卵４個詰めのものを例示している。なお、その他の構成は基本的に前記一実施の形態と同様であるから同符号を付してその説明を省略する。
【符号の説明】
【００１６】
１  卵パック
２  ヒンジ
３  本体部
４  蓋体部
５  第１のリブ
６  凸リブ
７  第２のリブ
８  卵収容凹部
９  ラッチ
１０  ラッチ受け部
１１  １つのリブ
ａ  鶏卵
【図１】
0003160968.tif 000003
【図２】
0003160968.tif 000004
【図３】
0003160968.tif 000005
【図４】
0003160968.tif 000006
【図５】
0003160968.tif 000007
【図６】
0003160968.tif 000008